(57)【要約】      （修正有）【課題】ブラシ体を容易に交換することができると共に、ブラシ体の抜けを防止することができるブラシ具を提供する。【解決手段】本体と、ブラシ体２とを有するブラシ具において、ブラシ体２は、基台２ａと、基台２ａに固定されたブラシ毛とを有し、本体は、把持部３と、断面略Ｕ字状の溝部４ａが形成されてブラシ体２を保持する保持部４と、ブラシ体２の抜けを防止する抜け止め部５とを有し、溝部４ａは、溝部４ａの断面における開放端部近傍にブラシ体２を係止する係止部４ｂを有し、ブラシ体２は、溝部４ａに着脱可能に係止されている。【選択図】図３
0003204805.tif 000002
【実用新案登録請求の範囲】
【請求項１】
本体と、ブラシ体とを有するブラシ具において、
前記ブラシ体は、基台と、該基台に固定されたブラシ毛とを有し、
前記本体は、把持部と、断面略Ｕ字状の溝部が形成されて前記ブラシ体を保持する保持部と、前記ブラシ体の抜けを防止する抜け止め部とを有し、
前記溝部は、該溝部の断面における開放端部近傍に前記ブラシ体を係止する係止部を有し、
前記ブラシ体は、前記溝部に着脱可能に係止されていることを特徴とするブラシ具。
【請求項２】
抜け止め部は、ブラシ体を取り外す位置と、ブラシ体を固定する位置とに回動することを特徴とする請求項１に記載のブラシ具。
【請求項３】
抜け止め部の回動支点は、溝部の底面部を超えた開放端部側に位置することを特徴とする請求項２に記載のブラシ具。
【請求項４】
抜け止め部は、該抜け止め部の回動を阻止する回動規制部を有することを特徴とする請求項２又は３に記載のブラシ具。
【考案の詳細な説明】
【技術分野】
【０００１】
本考案は、塵埃やサビを除去する用途に適し、ブラシ毛が植設されたブラシ体を交換可能なブラシ具に関するものである。
【背景技術】
【０００２】
従来から、ブラシ毛の摩耗時に、ブラシ部を交換可能とした取り換え式歯ブラシが知られている。この取り換え式歯ブラシは、柄体の長手方向に沿って溝が形成され、柄体には半円凹状溝、ブラシ体には半円凸上柱が設けられている。そして、柄体の溝にブラシ体を挿入させて柄体にブラシ体を合体し、着脱できる構造となっていた（特許文献１）。
【先行技術文献】
【特許文献】
【０００３】
【特許文献１】実開平０７−１７１３１号公報
【考案の概要】
【考案が解決しようとする課題】
【０００４】
しかしながら、上記特許文献１に記載された歯ブラシは、使用時に柄体の長手方向に沿った力が加わる場合には、ブラシ体が柄から外れ易くなるという問題を有していた。
【０００５】
本考案は、前記従来の課題を解決するものであり、ブラシ体を容易に交換することができると共に、ブラシ体の抜けを防止することができるブラシ具を提供することを目的とする。
【課題を解決するための手段】
【０００６】
前記従来の課題を解決するために、請求項１の考案は、本体と、ブラシ体とを有するブラシ具において、前記ブラシ体は、基台と、該基台に固定されたブラシ毛とを有し、前記本体は、把持部と、断面略Ｕ字状の溝部が形成されて前記ブラシ体を保持する保持部と前記ブラシ体の抜けを防止する抜け止め部とを有し、前記溝部は、該溝部の断面における開放端部近傍に前記ブラシ体を係止する係止部を有し、前記ブラシ体は、前記溝部に着脱可能に係止されていることを特徴としている。
【０００７】
請求項１のブラシ具は、ブラシ毛の毛先が磨耗したり、広がったりした場合に、ブラシ体だけを交換すればよく、本体は引き続き使用することができる。また、ブラシ体を本体の溝部に対してスライドさせることにより着脱することができるので、ブラシ体の交換作業を容易に行うことができる。さらに、溝部に係止部を有しているので、ブラシ体を確実に係止することができる。
【０００８】
請求項２の考案は、請求項１の考案において、抜け止め部は、ブラシ体を取り外す位置と、ブラシ体を固定する位置とに回動することを特徴としている。したがって、抜け止め部が従来のキャップのようにブラシ体から外れて紛失するのを防ぐことができると共に、ブラシ体の交換を容易に行うことができる。
【０００９】
請求項３の考案は、請求項２の考案において、抜け止め部の回動支点は、溝部の底面部を超えた開放端部側に位置することを特徴としている。このように構成することによって、使用時に抜け止め部がブラシ体に押されて回動するのを防ぐことができる。
【００１０】
請求項４の考案は、請求項２又は３の考案において、抜け止め部は、該抜け止め部の回動を阻止する回動規制部を有することを特徴としている。例えば、回動規制部が、ブラシ体の基台に係止される構造とすることによって、使用時に抜け止め部がブラシ体に押されて回動するのを防ぐことができる。
【考案の効果】
【００１１】
請求項１の考案は、ブラシ体の交換作業を容易に行うことができると共に、ブラシ体を確実に係止することができる。請求項２の考案は、抜け止め部が従来のキャップのようにブラシ体から外れて紛失するのを防ぐことができると共に、ブラシ体の交換を容易に行うことができる。また、請求項３及び４の考案は、使用時に抜け止め部がブラシ体に押されて回動するのを防ぐことができる。
【図面の簡単な説明】
【００１２】
【図１】（ａ）本考案に係るブラシ具の第１実施形態を示す斜視図。（ｂ）同正面図。
【図２】図１（ａ）のＡ−Ａ断面図。
【図３】（ａ）第１実施形態のブラシ具のブラシ体を取り外した状態を示す斜視図。（ｂ）同正面図。
【図４】第１実施形態のブラシ具をバケツに係止させた状態を示す説明図。
【図５】本考案に係るブラシ具の第２実施形態を示す斜視図。
【図６】第２実施形態のブラシ具を構成する抜け止め部を示す斜視図。
【考案を実施するための形態】
【００１３】
以下、本考案の実施形態について、図面を参照しながら説明する。なお、この実施の形態によって本考案が限定されるものではない。
【００１４】
図１（ａ）は、本考案に係るブラシ具の第１実施形態を示す斜視図であり、図１（ｂ）は、同正面図である。図２は、図１（ａ）のＡ−Ａ断面図である。図３（ａ）は、第１実施形態のブラシ具のブラシ体を取り外した状態を示す斜視図であり、図３（ｂ）は、同正面図である。図４は、第１実施形態のブラシ具をバケツに係止させた状態を示す説明図である。これらの図を用いて以下に、第１実施形態のブラシ具の詳細を説明する。
【００１５】
第１実施形態のブラシ具１０は、本体１と、ブラシ体２とを有しており、ブラシ体２は、断面略コ字状の帯状体からなる基台２ａと、ブラシ毛２ｂが束をなしてなるブラシ片２ｃと、芯線２ｄとから構成され、ブラシ片２ｃを芯線２ｄ及び基台２ａにて挟みつけて折り込んでなるチャンネルブラシにより形成されている（図２参照）。また、本体１は、把持部３と、断面略Ｕ字状の溝部４ａが形成されてブラシ体２を保持する保持部４と、ブラシ体２の抜けを防止する抜け止め部５とを有している。尚、ブラシ体２は、チャンネルブラシに替えて、樹脂の基台２ａにブラシ毛２ｂを直接植毛した構成としてもよい。
【００１６】
溝部４ａは、この溝部４ａの断面における開放端部近傍にブラシ体２を係止する係止部４ｂを有しており、ブラシ体２は、溝部４ａに着脱可能に係止されている。また、溝部４ａは、抜け止め部５が設置されている一方の端部側の溝幅が最も広く、他方の端部側に向けて徐々に溝幅が狭くなるように形成されている。このように構成することによって、溝部４ａに装着されたブラシ体２が抜け難くなっている。
【００１７】
また、溝部４ａの他方の端部には差し込み溝４ｃが形成されている。この差し込み溝４ｃは、マイナスドライバーを差し込むことができる形状に形成されており、ブラシ体２と溝部４ａの製造誤差により、溝部４ａからブラシ体２が外れなくなった場合に使用される。即ち、差し込み溝４ｃにマイナスドライバーを差し込んで溝部４ａの溝幅を広げることにより、ブラシ体２をスライドさせて取り出すことができるようにしている。
【００１８】
抜け止め部５は、ブラシ体２を取り外す位置（図３参照）と、ブラシ体２を固定する位置（図１参照）とに回動するように構成されており、抜け止め部５の回動支点５ａは、溝部４ａの底面部４ｄを超えた開放端部側に位置している（図２及び図３（ｂ）参照）。このように構成することによって、図３（ｂ）のようにブラシ具を側面から見た時に、ブラシ体２がスライドする軌跡上に回動支点５ａが配置されることになる。そのため、回動支点５ａが底面部４ｄを超えない位置、すなわち開放端部と反対側の位置に配置される場合に比べ、使用時に抜け止め部５がブラシ体２に押されて回動するのを防ぐことができる。
【００１９】
尚、本体１の保持部４の外側２箇所に突起４ｅ、４ｅが形成されている。この突起４ｅ、４ｅは、ブラシ体２の装着時に、抜け止め部５に形成されている凹部５ｂ、５ｂに嵌合することによって、抜け止め部５が回動するのを防いでいる。
【００２０】
把持部３は、一方の側部３ａ側に親指以外の指が当接する当接部３ｂが形成されており、他方の側部３ｃに、親指が当接する当接する当接部３ｄが形成されている。また、当接部３ｄの近傍には、図４に示すようにバケツＢ等の縁部に係止することができるように、引っ掛け部３ｅが形成されている。さらに、把持部３の一方の端部近傍には、フック等に係止することができるように、複数の穴部３ｆ、３ｇ、３ｈが形成されている。
【００２１】
上述のように構成された第１実施形態のブラシ具１０は、ブラシ毛２ｂの毛先が磨耗したり、広がったりした場合に、ブラシ体２だけを交換すればよく、本体１は引き続き使用することができる。また、ブラシ体２を本体１の溝部４ａに対してスライドさせることにより着脱することができるので、ブラシ体２の交換作業を容易に行うことができる。さらに、溝部４ａに係止部４ｂを有しているので、ブラシ体２を確実に係止することができる。
【００２２】
図５は、本考案に係るブラシ具の第２実施形態を示す斜視図であり、図６は、第２実施形態のブラシ具を構成する抜け止め部を示す斜視図である。これらの図を用いて以下に、第２実施形態のブラシ具について説明する。
【００２３】
第２実施形態のブラシ具２０の第１実施形態のブラシ具１０との相違点は、断面略Ｕ字状の溝部６ａが形成されてブラシ体７を保持する保持部６の先端部近傍が湾曲している点と、抜け止め部８に回動規制部９が設けられている点である。
【００２４】
保持部６の先端部近傍を湾曲させることによって、溝部６ａの先端部近傍も湾曲させており、ブラシ体７の先端部近傍も湾曲した状態で保持部６に装着されている。このように構成することによって、ブラシ毛７ｂが束をなしてなるブラシ片７ｃの先端部近傍も湾曲した状態となるので、曲面の塵埃やサビを除去するのに適したブラシ具２０とすることができる。
【００２５】
また、抜け止め部８に回動規制部９を設けることによって、ブラシ体７を装着した状態では、回動規制部９を構成する板状の突起が基台の先端部に係止された状態（図示せず）となるので、使用時に抜け止め部８がブラシ体７に押されて回動するのを防ぐことができる。なお、第１実施形態のブラシ具１０の抜け止め部５に回動規制部を設けてもよく、第２実施形態と同様の効果を奏することができる。
【産業上の利用可能性】
【００２６】
本考案に係るブラシ具は、塵埃やサビを除去する用途に適した清掃用具として利用される。
【符号の説明】
【００２７】
１  本体
２、７  ブラシ体
２ａ  基台
２ｂ、７ｂ  ブラシ毛
２ｃ、７ｃ  ブラシ片
２ｄ  芯線
３  把持部  
３ａ、３ｃ  側部
３ｂ、３ｄ  当接部
３ｅ  引っ掛け部
３ｆ、３ｇ、３ｈ  穴部
４、６  保持部
４ａ、６ａ  溝部
４ｂ  係止部
４ｃ  差し込み溝
４ｄ  底面部
４ｅ  突起
５、８  抜け止め部
５ａ、８ａ  回動支点
５ｂ、８ｂ  凹部
９  回動規制部
１０、２０  ブラシ具
【図１】
0003204805.tif 000003
【図２】
0003204805.tif 000004
【図３】
0003204805.tif 000005
【図４】
0003204805.tif 000006
【図５】
0003204805.tif 000007
【図６】
0003204805.tif 000008